(57)【要約】【課題】接着剤を用いることなく係止が可能な折畳み式包装箱用周壁端の折返し片係止構造を提供する。【解決手段】本発明の包装箱は、方形の天板又は底板２の各辺に折畳み起伏可能な周壁３ａ，３ｂ，４ａ，４ｂを連設し、隣接する周壁の隣接辺のいずれか一方に他方の周壁の隣接辺に沿って折曲げられ当該他方の周壁内面と重なり合う連結片７ａ，７ｂを連設している。隣接し合う周壁の各上端に、周壁内面に沿って折返されるフラップ状の折返し片１７，２２を連設するとともに、上記折返し片を内側に折返した状態で各折返し片の隣接端２１，２３同士を係止固定する係止部を該隣接端に設けている。前記折返し片を係止側折返し片２２と披係止側折返し片１７とで構成し、折返し片を内側に折返した際に、該折返し片と周壁４ａ，４ｂ内面との間に空間部２４を形成する折返し片の端部を周壁内面より浮上させる浮上補助片２６を折返し片２２に設けている。【選択図】図５
2008162644.tif 000002
【特許請求の範囲】
【請求項１】
正方形又は長方形の天板又は底板（２）の各辺に折畳み起伏可能な周壁（３ａ），（３ｂ），（４ａ），（４ｂ）を連設し、隣接する周壁（３ａ），（４ａ），（３ｂ），（４ｂ）の隣接辺のいずれか一方に他方の周壁（３ａ），（４ａ），（３ｂ），（４ｂ）の隣接辺に沿って折曲げられ当該他方の周壁（３ａ），（４ａ），（３ｂ），（４ｂ）内面と重なり合う連結片（７ａ），（７ｂ）を連設し、隣接し合う周壁（３ａ），（４ａ），（３ｂ），（４ｂ）の各上端に、周壁（３ａ），（４ａ），（３ｂ），（４ｂ）内面に沿って折返されるフラップ状の折返し片（１７），（２２）をそれぞれ連設するとともに、上記一方の折返し片（１７）で連結片（７ａ），（７ｂ）の上端を起立状態で挟持させ、上記折返し片（１７），（２２）を内側に折返した状態で各折返し片（１７），（２２）の隣接端（２１），（２３）同士を係止固定する係止部を該隣接端（２１），（２３）に設けた折畳み式包装箱において、前記折返し片（１７），（２２）を係止側折返し片（２２）と披係止側折返し片（１７）とで構成し、係止側折返し片（２２）を内側に折返した際に、該係止側折返し片（２２）と周壁（４ａ），（４ｂ）内面との間に空間部（２４）を形成するように係止側折返し片（２２）の端部を周壁（４ａ），（４ｂ）内面より浮上させる浮上補助片（２６）を係止側折返し片（２２）に設けてなる折畳み式包装箱用周壁端の折返し片係止構造。
【請求項２】
浮上補助片（２６）が係止側折返し片（２２）の隣接端（２３）に突設された舌状の突起部（２８）からなり、隣接し合う周壁（３ａ），（４ａ），（３ｂ），（４ｂ）を起立させて係止側折返し片（２２）を内側に折返した際に上記突起部（２６）先端が隣接する周壁（３ａ），（３ｂ）内面側に当接して、周壁（３ａ），（４ａ），（３ｂ），（４ｂ）コーナー部より浮上状態で湾曲することにより係止側折返し片（２２）の端部を周壁（４ａ），（４ｂ）内面より浮上させる構造である請求項１の折畳み式包装箱用周壁端の折返し片係止構造。
【請求項３】
浮上補助片（２６）が隣接し合う周壁（３ａ），（４ａ），（３ｂ），（４ｂ）を起立させて係止側折返し片（２２）を内側に折返した際に、該係止側折返し片（２２）の隣接端（２３）において、係止側折返し片（２２）に対し略直角に折曲がることによって係止側折返し片（２２）の端部を周壁（４ａ），（４ｂ）内面より浮上させる爪状の突出部（３６）からなる請求項１の折畳み式包装箱用周壁端の折返し片係止構造。
【請求項４】
浮上補助片（２６）が係止側折返し片（２２）の先端に折曲げ可能に連設された折返しフラップ（３７）からなり、隣接し合う周壁（３ａ），（４ａ），（３ｂ），（４ｂ）を起立させて係止側折返し片（２２）を内側に折返した状態でさらに係止側折返し片（２２）の内面側に折返されることによって係止側折返し片（２２）の端部を周壁（４ａ），（４ｂ）内面より浮上させる構造である請求項１の折畳み式包装箱用周壁端の折返し片係止構造。
【発明の詳細な説明】
【技術分野】
【０００１】
この発明はケーキ等の収容物を収容する折畳み式包装箱用周壁端の折返し片係止構造に関する。
【背景技術】
【０００２】
従来の折畳み式包装箱としては、正方形又は長方形の底板２に前後左右の周壁３，４を折り曲げ起伏可能に連設し、隣接する周壁３，４間に中間部に設けた山線の折目６を介して各隣接壁を連結するひだ状の連結片７を折り曲げ可能に連設した。該連結片７は折目６の片側に隣接する周壁３，４内面と接着固定する固定部８と、前記折目６を介して折曲げ回動可能な可動部９とで構成した。そして上記山線の折目６によって形成される連結片７の固定部８側に、周壁３，４の周縁部に向かって広がる可動ひだ１１を形成する谷線の補助折目１２を前記折目６側に山形に湾曲又は屈曲させて形成したワンタッチで箱組みが可能な折畳み式包装箱が特許文献１に示すように公知である。
【特許文献１】実用新案登録第０９９８２０号公報
【発明の開示】
【発明が解決しようとする課題】
【０００３】
しかし、上記の折畳み式包装箱では予め所定の接着箇所を接着して板状の折畳み状態で出荷されるので、店頭等の現場では側壁上端部を持って拡開するだけでワンタッチで箱組みできるものの、前後の周壁の内面側において前後周壁の上端に折曲げ可能に連設された押え片によって連結片の上端を折畳み起立状態で収納狭持した後、押え片の内面側と連結片とを接着固定しなければならなかったが、接着固定だけでは連結片の折畳み狭持状態を維持することができなかった。また店頭の現場では箱組みを容易にするために予め接着剤を付けた状態で出荷されるが、店頭で長期間保存しておくと冬場等の寒冷期又は寒冷地では接着剤が乾燥して接着固定することができないという問題があった。
この発明は、これらの課題を解決又は改善し、接着剤を用いることなく係止することができる折畳み式包装箱用周壁端の折返し片の係止構造を提供するものである。
【課題を解決するための手段】
【０００４】
上記課題を解決するための本発明のは、第１に、正方形又は長方形の天板又は底板２の各辺に折畳み起伏可能な周壁３ａ，３ｂ，４ａ，４ｂを連設し、隣接する周壁３ａ，４ａ，３ｂ，４ｂの隣接辺のいずれか一方に他方の周壁３ａ，４ａ，３ｂ，４ｂの隣接辺に沿って折曲げられ当該他方の周壁３ａ，４ａ，３ｂ，４ｂ内面と重なり合う連結片７ａ，７ｂを連設し、隣接し合う周壁３ａ，４ａ，３ｂ，４ｂの各上端に、周壁３ａ，４ａ，３ｂ，４ｂ内面に沿って折返されるフラップ状の折返し片１７，２２をそれぞれ連設するとともに、上記一方の折返し片１７で連結片７ａ，７ｂの上端を起立状態で挟持させ、上記折返し片１７，２２を内側に折返した状態で各折返し片１７，２２の隣接端２１，２３同士を係止固定する係止部を該隣接端２１，２３に設けた折畳み式包装箱において、前記折返し片１７，２２を係止側折返し片２２と披係止側折返し片１７とで構成し、係止側折返し片２２を内側に折返した際に、該係止側折返し片２２と周壁４ａ，４ｂ内面との間に空間部２４を形成するように係止側折返し片２２の端部を周壁４ａ，４ｂ内面より浮上させる浮上補助片２６を係止側折返し片２２に設けてなることを特徴としている。
【０００５】
第２に、浮上補助片２６が係止側折返し片２２の隣接端２３に突設された舌状の突起部２８からなり、隣接し合う周壁３ａ，４ａ，３ｂ，４ｂを起立させて係止側折返し片２２を内側に折返した際に上記突起部２６先端が隣接する周壁３ａ，３ｂ内面側に当接して、周壁３ａ，４ａ，３ｂ，４ｂコーナー部より浮上状態で湾曲することにより係止側折返し片２２の端部を周壁４ａ，４ｂ内面より浮上させる構造であることを特徴としている。
【０００６】
第３に、浮上補助片２６が隣接し合う周壁３ａ，４ａ，３ｂ，４ｂを起立させて係止側折返し片２２を内側に折返した際に、該係止側折返し片２２の隣接端２３において、係止側折返し片２２に対し略直角に折曲がることによって係止側折返し片２２の端部を周壁４ａ，４ｂ内面より浮上させる爪状の突出部３６からなることを特徴としている。
【０００７】
第４に、浮上補助片２６が係止側折返し片２２の先端に折曲げ可能に連設された折返しフラップ３７からなり、隣接し合う周壁３ａ，４ａ，３ｂ，４ｂを起立させて係止側折返し片２２を内側に折返した状態でさらに係止側折返し片２２の内面側に折返されることによって係止側折返し片２２の端部を周壁４ａ，４ｂ内面より浮上させることを特徴としている。
【発明の効果】
【０００８】
本発明の折畳み式包装箱用周壁端の折返し片係止構造によると、必ずしも接着剤を使用することなく箱組みが可能となり、この場合箱組み工程の一部を省略することができるので製造コストを削減することができるほか、店頭等の現場での箱組みを効率よく行うことができる。
また折返し片の下端側の隣接端に突設された突起部の先端が、起立状態の隣接周壁に当接されることにより、周壁と該周壁の内面側に折返された係止側折返し片との間に空間部が形成されるので、折返し片の隣接端に設けられた切欠部と突出部からなる係止部による係止が容易になるほか、係止状態を音により確認することができる。
さらに隣接端に突設された突出部により折畳み状態のひだ状の連結片を抑えることができるという利点がある。
【発明を実施するための最良の形態】
【０００９】
以下本発明の実施形態を図面に基づき説明する。図１は箱組み後の斜視図，図２は箱の組立途中を示す斜視図，図３は内面展開図を示している。
【００１０】
包装箱１は、底板２に対して周壁として前後壁３ａ，３ｂと左右側壁４ａ，４ｂが折畳み起伏可能に連設されている。そして隣接する前記前後壁３ａ，３ｂと左右側壁４ａ，４ｂ間には、中間部の山線の折目６ａ，６ｂを備え、各隣接する前記前後壁３ａ，３ｂと左右側壁４ａ，４ｂ同士を連結するひだ状の連結片７ａ，７ｂが折曲げ可能に連設されている。
【００１１】
連結片７ａ，７ｂは山線の折目６ａ，６ｂを介して前後壁３ａ，３ｂの内面と予め接着固定される固定部８ａ，８ｂと、折目６ａ，６ｂを介して左右側壁４ａ，４ｂと折曲げ回動可能に連結する可動部９ａ，９ｂとで構成されている。左側壁４ａに連結する連結片７ａには、折目６ａを介して固定部８ａが前後壁３ａ，３ｂ側に形成され、該固定部８ａには左側壁４ａ方向に向かって広がる可動ひだ１１を介して補助折目１２が形成され、該補助折目１２は可動部９ａ側に向かって山型に湾曲形成されている。また可動ひだ１１の下方の底板２方向には鍵型の切込み１３が形成され、可動ひだ１１の上方の固定部８ａには図３の内面展開図上で左側壁４ａ方向に方向に突出する帯部１４が形成されている。
【００１２】
右側壁４ｂに連結している連結片７ｂには、中間部の山線の折目６ｂを介して、予め前後壁３ａ，３ｂ内面と接着固定される固定部８ｂと、右側壁４ｂと折曲げ回動可能に連結する可動部９ｂとで構成されている。可動部９ｂには折畳み状態の右側壁４ｂを起立回動する際に、その起立を補助する図３の内面展開図において山線の折目１６が形成されている。
【００１３】
前後壁３ａ，３ｂの上端には連結片７ａ，７ｂの上端を折畳み起立状態で収納挟持して押える折返し片１７が連設されており、該折返し片１７は三角形状の固定部１８と、該固定部１８の上端に折曲げ可能に連設された左右可動部１９ａ，１９ｂとで構成されている。
【００１４】
起立状態における左右側壁４ａ，４ｂの上端には折返し片２２が連設され、上記折返し片１７と該折返し片２２を内側に折返した状態で、各折返し片１７，２２の隣接端２１，２３同士を係止固定する係止固定する係止部が設けられている。該係止部は各折返し片１７の隣接端２１に形成された突出部２１ａと折返し片２２の隣接端２３に形成された切欠部２３ａとで構成される。
【００１５】
折返し片２２の隣接端２３には折返し片２２を内側に折返した際に、後述するように折返し片２２と左右側壁４ａ，４ｂとの間に空間部２４を形成する浮上補助片２６が設けられている。該浮上補助片２６は折返し片２２の隣接端２３の自由端側（起立状態の周壁内面側に折返した際は下端側）に突設された舌状の突起部２７であり、該突起部２７の他に空間部２４形成を補助し、上記突起部２７の回動起点となる切込２７ａが、突起部２７基端部に形成されている。また折返し片２２の隣接端２３よりやや内寄りに折目２８が形成られ、該折目２８は後述するように接着剤の貼着範囲を示すほか、突起部２７による空間部２４の形成を補助することができる。
【００１６】
次に図３，４に基づき本包装箱１の箱組み手順を説明する。上記構成の本包装箱１は予め接着された平板状態で出荷される（図４参照）。上記連結片７ａ，７ｂの固定部８ａ，８ｂを前後壁３ａ，３ｂの内面に予め接着代３１ａに対して３１ｂを接着固定するとともに、接着固定された連結片７ａ，７ｂの上から折返し片１７の固定部１８を内側に折返し、上記連結片７ａ，７ｂの固定部８ａ，８ｂ及び帯部１４を押圧挟持し、接着代３２ａに対して３２ｂを接着固定する。また上記作業と同時に折返し片２２も内側に折り返し、接着代３３ａに対して左右側壁４ａ，４ｂの内面の接着代３３ｂとを接着固定する。このとき接着剤が折返し片２２の折目２８を超えないように注意する必要がある。
【００１７】
店頭等の現場での本包装箱１の組立作業は、図４の矢印に示すように左側壁４ａを左上方外側方向に引き上げると同時に、右側壁４ｂを右上方外側方向に起立回動させる。該左右側壁４ａ，４ｂには連結片７ａ，７ｂを介して前後壁３ａ，３ｂが連結されているので、左右側壁４ａ，４ｂの起立と同時に前後壁３ａ，３ｂも起立させることができる。また連結片７ｂの可動部９ｂには起立を補助する折目１６が形成されているので、右側壁４ｂの起立回動を容易にすることができる。
【００１８】
左右側壁４ａ，４ｂを外側へ開くと同時に、折返し片１７の左右可動部１９ａ，１９ｂを周縁側に起立状態で保ち、連結片７ａ，７ｂの可動部９ａ，９ｂを折畳み状態で前後壁３ａ，３ｂ側に重ね合わせ、折返し片１７の左右可動部１９ａ，１９ｂを前後壁３ａ，３ｂ側の内面に回動させる。
【００１９】
折返し片１７の左右可動部９ａ，９ｂによって連結片７ａ，７ｂを起立状態で折畳み収納挟持し、前述の折返し片１７の隣接端２１に突出形成された突起部２１ａと折返し片２２の隣接端２３に形成された切欠部２３ａとで構成される係止部により係止固定し、箱組みを完成させる。この係止構造を用いることによって周壁の起立保持が容易であるほか、店頭等の現場では接着剤を使用することなく迅速に組立てることができる。
【００２０】
次に図５に基づき空間部２４の形成方法を説明する。上述したように出荷された平板状態では左側壁４ａ及び連結片７ａと折返し片２２とは当接状態であり（図５の（Ａ）参照）、その平板状態からの左側壁４ａの起立に伴って連結片７ｂの可動部９ａが左側壁４ａに対して直角方向に折れ曲がる。
【００２１】
そして浮上補助片２６の突起部２７の先端が左側壁４ａに対して直角方向に折れ曲がった連結片７ａの可動部９ａの内面側に当接して、該突起部２７が左側壁４ａと連結片７ａの可動部９ａとで構成されるコーナー部より浮上状態で湾曲することにより、折返し片２２と左側壁４ａ内面との間に空間部２４が形成される構成となっている。
【００２２】
よって折返し片２２と左側壁４ａ，４ｂ内面との間に空間部２４が形成されることにより、折返し片１７の隣接端２１に形成された突出部２１ａが折返し片２２の隣接端２３に形成された切欠部２３ａにワンタッチで係止できる構成となっている。またこの係止構造を用いて係止することにより、接着剤を用いることなく折畳み起立状態の連結片７ａ，７ｂを押圧挟持することができ、周壁の起立を容易に保持することができる。また空間部２４を設けたことにより一端挿入係止された折返し片１７の隣接端２１の突出部２１ａは容易に解除できないという利点がある。
【００２３】
図６は本包装箱の折返し片１７，２２の隣接端２１，２３に設けられた係止部の係止過程を示す斜視図であり、折返し片１７，２２はそれぞれ折返し片１７の可動部１９ａが上向きに弾力的に戻るのを係止する係止側折返し片２２と被係止側折返し片１７とで構成されている。図示するように隣接する左側壁４ａと後壁３ｂとを起立させると、折返し片２２の突起部２７が折畳まれた連結片７ａの可動部９ａに当接され、折返し片２２下端側の隣接端２３に左側壁４ａとの間に空間部２４が形成される。
【００２４】
そして矢印に示すように折返し片１７の可動部１９ａを後壁３ｂ側へ折返して、隣接端２１に突出形成された突出部２１ａを隣接端２３に形成された切欠部２３ａに挿入し係止固定する。このとき折返し片２２下端側の隣接端２３が形成された空間部２４によって浮上しているので、容易に係止できるとともに、係止時には音により係止確認が可能となっている。
【００２５】
図７の（Ａ）〜（Ｄ）は左右側壁４ａ，４ｂと折返し片２２との間に空間部２４を形成するための浮上補助片２６の他の例を示しており、（Ａ），（Ｂ），（Ｃ）は折返し片２２下端側の隣接端２３にフラップ３４が折曲げ可能に連設され、該フラップ３４の連設基端部には折返し片２２に対して略直角に折曲げることによって左右側壁４ａ，４ｂ内面側に突出される爪状の突出部３６が切残し形成されている。（Ｄ）は浮上補助片２６として折返し片２２の先端に折曲げ可能に連設された折返しフラップ３７である。
【００２６】
上記図７（Ａ）〜（Ｄ）に示す各例では、図８の（Ａ），（Ｂ），（Ｃ）に示すように、折返し片２２に対してフラップ３４を略直角に折り曲げることにより爪状の突出部３６の先端が左側壁４ａ内面側に当接され、左側壁４ａと折返し片２２との間に突出部３６の突出高さに応じた空間部２４が形成される構成となっており、爪状の突出部３６はそれぞれフラップ３４の（Ａ）上端位置，（Ｂ）中央位置，（Ｃ）下端位置に形成されている。また（Ｄ）は、左側壁４ａを起立させて、折返し片２２を内側に折返した状態でさらに折返し片２２の内面側に折返しフラップ３８を折返すことによって折返し片２２の隣接端２３を左側壁４ａ内面より、フラップ３８の板厚に応じた隙間を形成して浮上させる。
【００２７】
以上のように構成される本発明の折畳み式包装箱用周壁端の折返し片係止構造は、箱体としての説明をしたが、上記態様に限らず蓋体としても使用可能であり、連結片は周壁の起立を保持する連結片であれば良く、隣接する周壁の隣接辺に折曲げ可能に連設された連結フラップでも良い。また浮上補助片も折返し片を左右側壁内面より浮上させる構造であれば、他の態様を用いることもできる。さらに本包装箱が対称な図形であるため主として左側壁及び後壁を中心に説明したが、右側壁及び前壁であっても同様である。
【図面の簡単な説明】
【００２８】
【図１】本包装箱の箱組み完成状態を示す斜視図である。
【図２】本包装箱の組立途中を示す斜視図である。
【図３】本包装箱の内面展開図である。
【図４】本包装箱の折畳み状態を示す平面図である。
【図５】（Ａ）は本包装箱の折返し片係止構造における空間部の形成状態を示す平面断面図、（Ｂ）は側面断面図である。
【図６】（Ａ），（Ｂ）は本包装箱の折返し片の隣接端に設けられた係止部の係止過程を示す斜視図である。
【図７】（Ａ）〜（Ｄ）は本包装箱の浮上補助片の他の例を示す内面展開図である。
【図８】（Ａ）〜（Ｄ）は本包装箱の図７（Ａ）〜（Ｄ）に示すそれぞれの浮上補助片による空間部の形成状態を示す側面断面図である。
【符号の説明】
【００２９】
１    包装箱
２    底板
３ａ  前壁（周壁）
３ｂ  後壁（周壁）
４ａ  左側壁（周壁）
４ｂ  右側壁（周壁）
７ａ  連結片
７ｂ  連結片
１７  折返し片
２１  隣接端
２２  折返し片
２３  隣接端
２４  空間部
２６  浮上補助片
２８  突起部
３６  突出部
３７  折返しフラップ
【図１】
2008162644.tif 000003
【図２】
2008162644.tif 000004
【図３】
2008162644.tif 000005
【図４】
2008162644.tif 000006
【図５】
2008162644.tif 000007
【図６】
2008162644.tif 000008
【図７】
2008162644.tif 000009
【図８】
2008162644.tif 000010